(57)【要約】【課題】人体から排出された廃液の廃液処理システムに用いて好適な廃液計量袋、すなわち、収容される廃液量を重量計により計量し、しかも、廃液収容の初期にも液の片寄りにより袋が傾いて重量計の計量ミスを引き起こすことがなく、常に、正確な測定ができるようにした廃液計量袋を提供する。【解決手段】本願袋１は、重量計３１への懸吊部２の下側に人体から排出された廃液の流入部５と収容液の排出部６とを備えた廃液収容部３を設け、該廃液収容部３の底部を半円状に形成し、廃液収容の初期にも袋が傾くことがないように構成した。また、廃液収容部３は袋自体が扁平になるようにし、廃液の流入部５は貯留した廃液の流下力にてスムーズな流入が可能なようにし、さらに廃液の排出部６は廃液の収容中は邪魔にならず、廃液の排出時には簡易な操作で放出させることができるように構成した。【選択図】図３
2007061312.tif 000002
【特許請求の範囲】
【請求項１】
重量計への懸吊部の下側に、人体から排出された廃液の流入部と収容液の排出部とを備えた廃液収容部を設け、該廃液収容部の底部を半円状に形成したことを特徴とする廃液計量袋。
【請求項２】
前記廃液収容部が、表シートと裏シートとを重ね、その周縁部及び懸吊部との分境部を熱溶着してなることを特徴とする請求項１に記載の廃液計量袋。
【請求項３】
前記廃液の流入部が、廃液収容部の上位の表シートに設けた透孔の周囲に溶着したプラスチック成形品に、人体から排出された廃液をいったん貯留できるようになっていることを特徴とする請求項１又は２に記載の廃液計量袋。
【請求項４】
前記廃液の排出部が、廃液収容部の底部の表シートに基端を貫通接合したチューブと、該チューブの中間部を挟圧・解除できる挟み具と、該チューブ先端を格納する鞘部とを備えたことを特徴とする請求項１〜３のうちの１に記載の廃液計量袋。
【発明の詳細な説明】
【技術分野】
【０００１】
この発明は、人体から排出された廃液の廃液処理システムに用いて好適な廃液計量袋に関するものである。
【背景技術】
【０００２】
近代医学の手術室では、人体（手術中の患者など）から排出される廃液（尿、血液等）を廃液チューブを介して廃液収容袋に収容し、一定時間毎に（手術中は約５分毎、ベッドサイドでは約２０分或いは１時間毎等）にその貯留量を時系列測定することが行われている。また、安静が要求される患者に対しても廃液量の監視が行われている。これは廃液量の変動が、血圧、体温、脈拍などと同様に手術の経過や患者の健康状態を知る上で重要な生理データであることによるものである。
【０００３】
このような廃液収容袋として、たとえば特開２００２−３４９５８がある。この従来型の廃液収容袋は、図６の如く、表面に目盛り６１が印刷された透明素材からなる袋体６２を備え、該袋体６２には人体から排出された廃液が廃液流入部６３を通して流入するようになっている。この従来型の廃液収容袋は、通常、手術台またはベッドの脇に吊り下げるための吊具６４を備え、定時測定に際し、ナースは廃液収容袋を手で持ちあげて液面の位置を目盛り６１によって確認し、その貯留量を所定の記録用紙に記録する。また、廃液収容袋内に貯留された廃液は、記録後の廃液を排出部６５より排出するか、袋ごと廃棄処分されることとなる。
【特許文献１】特開２００２−３４９５８
【発明の開示】
【発明が解決しようとする課題】
【０００４】
しかしながら、上記従来型の廃液収容袋では、貯留量の測定に際し、尿などを繰り返し直視しなければならず、不快感を伴ったばかりでなく、特に、尿の場合には重量が嵩むため肉体的負担も少なくなく、しかも、目視による測定は誤差が大きいという問題点があった。さらに、上記従来型の廃液収容袋はその形状が図示の如く四角形であり、貯留初期には液が一つの隅角部に片寄って傾くことがあり、正確な測定ができないという大きな問題があった。
【０００５】
この発明は上記の点に鑑み、廃液収容袋に触れたり直視することなく、収容される廃液量を重量計により計量し、しかも、廃液収容の初期にも袋が傾いて重量計の計量ミスを引き起こすことがなく、常に、正確な測定ができるようにした廃液計量袋を提供することを目的としている。
【課題を解決するための手段】
【０００６】
上記目的を達成するため、本発明の廃液計量袋は、重量計への懸吊部の下側に、人体から排出された廃液の流入部と収容液の排出部とを備えた廃液収容部を設け、該廃液収容部の底部を半円状に形成したことを特徴とし、廃液収容の初期にも袋が傾くことがないように構成した。
【０００７】
また、請求項２に記載の廃液計量袋は、前記廃液収容部が、表シートと裏シートとを重ね、その周縁部及び懸吊部との分境部を熱溶着してなることを特徴とし、袋自体が扁平になるように構成した。
【０００８】
さらに、請求項３に記載の廃液計量袋は、前記廃液の流入部が、廃液収容部の上位の表シートに設けた透孔の周囲に溶着したプラスチック成形品に、人体から排出された廃液をいったん貯留できるようになっていることを特徴とし、貯留した廃液の流下力にて密接している表・裏シートを離反させることができるように構成した。
【０００９】
さらにまた、請求項４に記載の廃液計量袋は、前記廃液の排出部が、廃液収容部の底部の表シートに基端を貫通接合したチューブと、該チューブの中間部を挟圧・解除できる挟み具と、該チューブ先端を格納する鞘部とを備えたことを特徴とし、廃液の収容中は邪魔にならず、廃液の排出時には簡易な操作で放出できるように構成した。
【発明の効果】
【００１０】
本発明によれば、手術中或いは術後（療養期間中）の患者のベッド近くに設置した重量計に懸吊して使用され、患者から排出された廃液重量の変化を時系列測定記録するに当たり、測定の開始初期、すなわち、廃液の収容の初期にも袋が傾くことがないように底部を半円状に形成したから、重量計に計量ミスを引き起こさせることがなく、正確な測定値が得られる利点がある。しかも、ナースによる目視の測定が不要になることから、廃液量の測定の作業環境が大幅に改善されるとともに、手術中或いは術後（療養期間中）の患者から排出される廃液の医学データの信頼性をより向上させることができるなど各種の優れた効果を奏するものである。
【００１１】
また、請求項２に記載の発明によれば、前記廃液収容部が、表シートと裏シートとを重ね、その周縁部及び懸吊部との分境部を熱溶着してなることを特徴としているから、袋自体が扁平になり、保管保存に有利となるという優れた効果を奏するものである。
【００１２】
さらに、請求項３に記載の発明によれば、前記廃液の流入部が、廃液収容部の上位の表シートに設けた透孔の周囲に溶着したプラスチック成形品に、人体から排出された廃液をいったん貯留できるようになっていることを特徴としているから、貯留された廃液の流下力にて密接している表裏シートを離反させることができ、特に、廃液の初期における流入をスムーズにするという優れた効果を奏するものである。
【００１３】
さらにまた、請求項４に記載の発明によれば、前記廃液の排出部が、廃液収容部の底部の表シートに基端を貫通接合したチューブと、該チューブの中間部を挟圧・解除できる挟み具と、該チューブ先端を格納する鞘部とを備えたことを特徴としているから、廃液の収容中は邪魔にならず、廃液の排出時に簡易な操作、すなわち、チューブ先端を鞘部から出し、挟み具から開放するだけで廃液を一定の捨て場に向けて放出できるという優れた効果を奏するものである。
【発明を実施するための最良の形態】
【００１４】
次に、本発明の実施形態を図面に基づいて説明する。図１は本願廃液収容袋の正面図、図２は同側面断面図、図３は使用状態を示す斜視図、図４は重量計より垂下したフックを示す側面図、図５は排出チューブの挟み具の側面図である。
【００１５】
図において、１は本願袋で、該本願袋１は、図３に示す如く、重量計３１から垂下したシャフト３２の下端部に設けたフック３３への懸吊部２を有し、該懸吊部２の下側に、人体（患者）から排出された廃液の収容部３を設けている。その廃液収容部３はその底部４を、図１の如く、半円状に形成している。これは廃液が停滞するような隅角部を作らないためである。この収容部３の上位には、人体から排出された廃液の流入部５が、また底部６の半円状域には廃液の排出部６がそれぞれ備えられている。
【００１６】
前記重量計３１から垂下したシャフト３２は、上端部にネジ等からなる結合部３２′が設けられ、該重量計３１に内蔵の計測主部３１′に着脱自在に結合している。また、シャフト３２の下端部前面には断面Ｕ型のフック３３がＴ字型に結着（固定）されている。
【００１７】
前記本願袋１は、図１及び図２の如く、表シート１ａと裏シート１ｂとを重ね、周縁部Ｅ、懸吊部２と廃液収容部３との分境部Ｂを線状に熱溶着してなる。この周縁部Ｅの熱溶着は、溶断（熱溶着と同時に切断）方式にて形成してもよい。
【００１８】
前記懸吊部２は、前記重量計３１から垂下したシャフト３２の下端フック３３に係合するための横長穴２ａが設けられている。この横長穴２ａの上縁側及び両端縁側は強度を出すために熱溶着線２ｂにより縁取りしている。また、懸吊部２の強度を増大化するため、上縁に沿って横長袋２ｃを設け、この袋２ｃに骨材２ｄを収納している。なお、当然であるが、前記重量計３１から垂下したシャフト３２の下端フック３３へ係止した本願袋１はバランスが保たれる。
【００１９】
前記廃液収容部３の底部６の半円状は、廃液が停滞する隅角部を作らない円弧であれば真半円状でなくてもよい。廃液収容部３の貯留容量は、２５００〜３０００ｍｌ程度あれば十分であるが、最大貯留容量の決定は自由である。なお、廃液収容部３の表面には、便宜的に目視計測用の目盛り３′を設けておくこともある。
【００２０】
前記廃液流入部５は、図２の如く、収容部３の上位の表シート１ａに設けた透孔７の周囲にプラスチック成形品８を溶着している。該成形品８はその上面にチューブ接続パイプ９及び空気抜きパイプ９′が貫通して設けられている。該チューブ接続パイプ９の外端には人体から排出される廃液を導く廃液チューブ１０を連繋させるためのものである。すなわち、人体から排出された廃液は、廃液チューブ１０を通して前記成形品８にいったん貯留され、一定の流下力を得て透孔７を通して密接している表シート１ａ、裏シート１ｂ間を離反しつつ収容部３に流入できるようになっている。この場合、前記成形品８の正面側（透孔７の対向面）には図示の如く下向き傾斜面８ａを形成しておくと、成形品８内の廃液に流下力が増大してよりスムーズに流入させることができるようになる。なお、前記空気抜きパイプ９′は成形品８が真空にならないようにするためのものである。
【００２１】
前記廃液排出部６は、前記収容部３の底部６の半円状域に対応する表シート１ａに基端を貫通接合したゴムなどの弾性素材からなる排出チューブ１１と、表シート１ａに基縁を接合し、該チューブ１１の中間部を挟圧・解除できる挟み具１２と、表シート１ａに設置し、該排出チューブ１１の先端１１ａを格納する鞘部１３とを備えてなる。なお、前記排出チューブ１１の基端部が前記カバー体１４により表シート面に沿うように屈曲させ、先端１１ａを鞘部１３に格納させたのは廃液排出部６が廃液処理作業時や本願袋の保管保存時に嵩張らない（邪魔にならない）ようにするためである。
【００２２】
前記挟み具１２は、図５の如く、前記収容部３の表シート１ａに、基縁１２ａを接合した枠体１２ｂに、細溝部と径大部とを持つスリット１２ｃを形成してなる。しかして、排出チューブ１１は、枠体１２ｂのスリット１２ｃの細溝部１２ｃ′にあるときは、挟圧されて液の流動を止め、該細溝部１２ｃ′から径大部１２ｃ″へと移動させると素材の弾性により挟圧解除されるようになっている。なお、図示の例では挟み具１２の基縁１２ａは長辺側にし、細溝部と径大部とを持つスリット１２ｃが上下方向になるようにしているが、基縁１２ａを短辺側にし、細溝部と径大部を持つスリット１２ｃが前後方向になるようにすることもある。
【００２３】
しかして、廃液の流入部５を経て廃液収容部３に人体からの廃液を収容するに際し、当初、廃液排出部６は閉じられている。すなわち、排出チューブ１１の中間部を挟み具１２のスリット１２ｂの細溝部にて挟圧し、先端を鞘部１３に格納されている。しかして、廃液収容部３が満杯になるなどの理由により廃液収容部３内の廃液を捨てる場合、まず、排出チューブ１１の先端を鞘部１３から抜き出して手指で強く摘み、この状態で排出チューブ１１の中間部を挟み具１２のスリット１２ｃの径大部に移動させ、手指で摘んでいたチューブ先端を捨て場所に向けて開放させればよい。
【００２４】
前記重量計３１は、テーブル３４上に設置されている。該テーブル３４はその四隅の脚部３５が高さ調整器３６の操作盤３６′の調整により水平を保っている。しかして、前記重量計３１の下端フック３３はテーブル３４の天板３４′に設けた透孔３４″を通して垂下している（図４参照）。したがって、前記本願袋１は懸吊部２に設けた横長孔２ａをテーブル３４の下から重量計３１の下端フック３３に懸けることとなる。
【００２５】
前記テーブル３４上には、前記重量計３１を覆うハウジング３７が設置されている。該ハウジング３７は、前記重量計３１とは電気的に接続され、その頂面には重量計３１の下端フック３３に加わる本願袋１に収容された廃液の重量を表示する重量表示窓３７ａと、一分間当たりの変化量を表示する変化量表示窓３７ｂを備える。また、測定月日を表示する月日表示窓３７ｃと、測定日の時分を表示する時分表示窓３７ｄと、測定開始停止のためのオンオフボタン３７ｅと、モード設定ボタン３７ｆとを備えている。このモード設定ボタン３７ｆは設定モード（重量表示モード）と履歴モードとの切換えのためのものである。
【００２６】
前記ハウジング３７には、測定履歴表示のキーボード３８が備えられ、該ボード３８のうち、左矢印ボタン３８ａを押すと、今までに記録されたもののうち、最新の履歴が重量表示窓３７ａ及び変化量表示窓３７ｂに表示され、続けて押すと履歴を現在から過去に向けて順次表示できるようになっている。一方、右矢印ボタン３８ｂを押すと、最も古い履歴が重量表示窓３７ａ及び変化量表示窓３７ｂに表示され、続けて押すと履歴を過去から現在に向けて順次表示するようになっている。
【００２７】
前記ハウジング３７には、水平器３９が設けられ、前述の如く、高さ調整器３６の調整により得られるテーブル３４（及び重量計３１）の水平度が目視により判るようにしている。更に、前記ハウジング３７には、本願袋１が予め設定した貯留容量に近づいた（満タン）ことを知らせるアラームランプなどを設けるようにしてもよい。
【００２８】
しかして、今、手術中或いは術後（療養期間中）の患者のベッド近くに設置したテーブル３４上の重量計３１の下端フック３３に懸けた廃液収容部３に、患者から排出された廃液を廃液チューブ１０を通して流入させると、その廃液量は、重量表示窓３７ａと変化量表示窓３７ｂに、その重量と一分間当たりの変化量が計測・表示されるとともに、履歴として図示しないメモリに記録されるようになっている。
【００２９】
上記の廃液量の計測・表示に際し、本願袋１は、その収容部３の底部４が半円状に形成されているため、液が片寄る隅角部がなく、したがって、測定の初期にも袋の傾きがないため、重量計３１による計量ミスの生ずるおそれがなく、常に、正確な計測値が得られるものである。
【００３０】
すなわち、計測に際し、前記本願袋１とシャフト３２及び下端フック３３の重量と廃液（尿、血液など）の比重などを予め前記ハウジング３７に備えたメモリに記憶させておき、重量計３１のシャフト３２及び下端フック３３に加わる荷重から廃液の体積（ｇ）を算出し、その重量と変化量を、重量表示窓３７ａと変化量表示窓３７ｂに表示する。
【００３１】
なお、人体から排出された廃液の正確な測定が終了した後、本願袋１は廃棄処理されるが、廃液の正確な測定管理をより有効に行うために、本願袋１の廃棄処理後の追跡調査が極めて重要である。そのためには本願袋１に無線タグ（たとえば、ミニチップ）を取付けるか、ＩＣタグを本願袋１の表面に貼着するか、素材中に埋設させるなどの方法によって測定器側（本願では重量計３１又はハウジング３７その他）に取付けた受信機にて情報収集が得られるようにするとよい。この廃液測定管理システムは、廃液の測定結果を適切に管理し、本人確認や本願袋１のリサイクル処理の追跡確認用としても役立てられることは云うまでもない。
【産業上の利用可能性】
【００３２】
ベッド（または手術台等）の近傍適所においたテーブル上の重量計のフックにテーブル下から本願袋１を懸吊部２にて懸け、人体（患者）から排出された廃液をチューブを通して廃液収容袋に収容する。これにより、廃液収容部に貯留される廃液の重量に応じて重量計３１が作動し、その計測した重量及び一定の変化量が出力され表示窓に表示されるようになっている有効なものである。
【図面の簡単な説明】
【００３３】
【図１】本願廃液収容袋の正面図である。
【図２】同側面断面図である。
【図３】使用状態を示す斜視図である。
【図４】重量計より垂下したフックを示す側面図である。
【図５】排出チューブの挟み具の側面図である。
【図６】従来型の廃液計量袋を示す正面図である。
【符号の説明】
【００３４】
１  本願廃液計量袋
１ａ  表層シート
１ｂ  裏層シート
２  懸吊部
３  廃液収容部
４  底部
５  廃液流入部
６  廃液排出部
７  透孔
８  プラスチック成形品
９  パイプ
１０  廃液チューブ
１１  排出チューブ
１２  挟み具
１２ａ  基縁
１２ｂ  枠体
１２ｃ  スリット
１３  鞘部
１４  カバー体
３１  重量計
３２  シャフト
３３  下端フック
３４  テーブル
３４′  天板
３５  脚部
３６  高さ調整器
３６′  調整盤
３７  ハウジング
３７ａ  重量表示窓
３７ｂ  変化量表示窓
３７ｃ  月日表示窓
３７ｄ  時分表示窓
３７ｅ  オンオフボタン
３７ｆ  モード設定ボタン
３８  測定履歴表示のキーボード
３８ａ  左矢印ボタン
３８ｂ  右矢印ボタン
３９  水平器
Ｅ  周縁部
Ｂ  分境部
【図１】
2007061312.tif 000003
【図２】
2007061312.tif 000004
【図３】
2007061312.tif 000005
【図４】
2007061312.tif 000006
【図５】
2007061312.tif 000007
【図６】
2007061312.tif 000008